(57)【要約】【課題】Ｗｅｂデータを画面上に表示するブラウザ機能を備えた表示装置において、画面上に表示するＷｅｂデータのアドレス情報及び／又は該Ｗｅｂデータに含まれるハイパーリンクの情報を図形コード化して画面上に表示する。【解決手段】表示装置１０は、通信ネットワーク１を介して取得されるＷｅｂデータを画面上に表示するためのブラウザ部１２ａと、画面上に表示するＷｅｂデータのアドレス情報（ＵＲＬ）及び／又は該Ｗｅｂデータに含まれるハイパーリンクの情報（電子メールアドレス、電話番号など）を取得するＵＲＬ取得部１２ｂと、取得したＵＲＬ等を２次元コードなどの図形コード化する図形コード生成部１２ｃとを備える。ブラウザ部１２ａは、Ｗｅｂデータの読み込みが完了した時点で、図形コード生成部１２ｃにより生成された図形コードを画面上に表示する。【選択図】図３
2007025943.tif 000002
【特許請求の範囲】
【請求項１】
Ｗｅｂデータを画面上に表示するためのブラウザ手段と、該画面上に表示するＷｅｂデータのアドレス情報及び／又は該Ｗｅｂデータに含まれるハイパーリンクの情報を図形コード化する図形コード生成手段とを備え、前記ブラウザ手段は、前記図形コード生成手段により生成された図形コードを前記画面上に表示することを特徴とする表示装置。
【請求項２】
請求項１に記載の表示装置において、Ｗｅｂデータを構成する複数のページを切り替え表示するためのタブを各ページに付加して画面上に表示可能とし、前記図形コード生成手段は、前記各ページのアドレス情報及び／又は該各ページに含まれるハイパーリンクの情報を図形コード化し、前記ブラウザ手段は、前記図形コード生成手段により生成された図形コードを前記各ページのタブに表示することを特徴とする表示装置。
【請求項３】
請求項１又は２に記載の表示装置において、前記ブラウザ手段は、前記Ｗｅｂデータの読み込みが完了した時点で、前記図形コード生成手段により生成された図形コードを前記画面に表示することを特徴とする表示装置。
【請求項４】
請求項３に記載の表示装置において、前記ブラウザ手段は、前記Ｗｅｂデータの読み込み中にアニメーション動作するインジケータを表示可能とし、前記Ｗｅｂデータの読み込みが完了した時点で、前記図形コード生成手段により生成された図形コードを前記インジケータの代わりに表示することを特徴とする表示装置。
【請求項５】
請求項１又は２に記載の表示装置において、前記Ｗｅｂデータに範囲指定された文字列あるいはハイパーリンクを含む場合、前記図形コード生成手段は、前記文字列あるいは前記ハイパーリンクの情報を図形コード化し、前記ブラウザ手段は、前記文字列あるいは前記ハイパーリンクに対する所定の操作に従って、前記図形コード生成手段により生成された図形コードを前記文字列あるいは前記ハイパーリンクの位置にポップアップ表示することを特徴とする表示装置。
【請求項６】
請求項１又は２に記載の表示装置において、前記Ｗｅｂデータに範囲指定された文字列あるいはハイパーリンクを含む場合、前記図形コード生成手段は、前記文字列あるいは前記ハイパーリンクの情報を図形コード化し、前記ブラウザ手段は、前記文字列あるいは前記ハイパーリンクに対する所定の操作に従って、前記図形コード生成手段により生成された図形コードを前記画面上に表示することを特徴とする表示装置。
【請求項７】
請求項１又は２に記載の表示装置において、ユーザにより登録された所望のＷｅｂデータあるいは過去にアクセスしたＷｅｂデータのタイトル一覧を表示可能とし、前記図形コード生成手段は、前記一覧表示するＷｅｂデータのアドレス情報を図形コード化し、前記ブラウザ手段は、前記図形コード生成手段により生成された図形コードを前記一覧のＷｅｂデータのタイトルに併記あるいは代替して表示することを特徴とする表示装置。
【請求項８】
請求項１又は２に記載の表示装置において、Ｗｅｂデータの検索サービスを提供可能なＷｅｂサーバにアクセスする手段を備え、前記図形コード生成手段は、前記Ｗｅｂサーバにより検索されたＷｅｂデータのアドレス情報を図形コード化し、前記ブラウザ手段は、前記Ｗｅｂサーバにより検索されたＷｅｂデータのタイトルを一覧表示するときに、前記図形コード生成手段により生成された図形コードを前記一覧のＷｅｂデータのタイトルに併記あるいは代替して表示することを特徴とする表示装置。
【請求項９】
請求項８に記載の表示装置において、前記Ｗｅｂデータのアドレス情報が該アドレス情報を取得する機器の種類に応じて複数存在する場合、前記図形コード生成手段は、前記機器毎のアドレス情報を図形コード化し、前記ブラウザ手段は、前記図形コード生成手段により生成された複数の図形コードを前記一覧のＷｅｂデータのタイトルに併記あるいは代替して表示することを特徴とする表示装置。
【請求項１０】
請求項１乃至９のいずれか１に記載の表示装置において、前記図形コード生成手段は、前記Ｗｅｂデータのアドレス情報及び／又は該Ｗｅｂデータに含まれるハイパーリンクの情報を、情報を取得する機器の製造元毎あるいは通信サービス提供業者毎に図形コード化し、前記ブラウザ手段は、前記図形コード生成手段により生成された複数の図形コードを前記画面上に表示することを特徴とする表示装置。
【請求項１１】
請求項１乃至１０のいずれか１に記載の表示装置において、前記図形コード生成手段は、前記アドレス情報及び該アドレス情報のタイトルを図形コード化することを特徴とする表示装置。
【請求項１２】
範囲指定された文字列あるいはハイパーリンクを含む電子メールの本文を画面上に表示する電子メール手段と、前記文字列あるいは前記ハイパーリンクの情報を図形コード化する図形コード生成手段とを備え、前記電子メール手段は、前記図形コード生成手段により生成された図形コードを前記画面上に表示することを特徴とする表示装置。
【請求項１３】
請求項１２に記載の表示装置において、前記電子メール手段は、前記文字列あるいは前記ハイパーリンクに対する所定の操作に従って、前記図形コード生成手段により生成された図形コードを前記画面上に表示することを特徴とする表示装置。
【請求項１４】
請求項１２に記載の表示装置において、前記電子メール手段は、前記文字列あるいは前記ハイパーリンクに対する所定の操作に従って、前記図形コード生成手段により生成された図形コードを前記文字列あるいは前記ハイパーリンクの位置にポップアップ表示することを特徴とする表示装置。
【請求項１５】
請求項１２乃至１４のいずれか１に記載の表示装置において、前記図形コード生成手段は、前記電子メールに含まれる文字列あるいはハイパーリンクの情報を、該情報を取得する機器の製造元毎あるいは通信サービス提供業者毎に図形コード化し、前記電子メール手段は、前記図形コード生成手段により生成された複数の図形コードを前記画面上に表示することを特徴とする表示装置。
【請求項１６】
範囲指定された文字列あるいはハイパーリンクを含む文書データを画面上に表示するアプリケーション手段と、前記文字列あるいは前記ハイパーリンクの情報を図形コード化する図形コード生成手段とを備え、前記アプリケーション手段は、前記図形コード生成手段により生成された図形コードを前記画面上に表示することを特徴とする表示装置。
【請求項１７】
請求項１６に記載の表示装置において、前記アプリケーション手段は、前記文字列あるいは前記ハイパーリンクに対する所定の操作に従って、前記図形コード生成手段により生成された図形コードを前記画面上に表示することを特徴とする表示装置。
【請求項１８】
請求項１６に記載の表示装置において、前記アプリケーション手段は、前記文字列あるいは前記ハイパーリンクに対する所定の操作に従って、前記図形コード生成手段により生成された図形コードを前記文字列あるいは前記ハイパーリンクの位置にポップアップ表示することを特徴とする表示装置。
【請求項１９】
請求項１６乃至１８のいずれか１に記載の表示装置において、前記図形コード生成手段は、前記文書データに含まれる文字列あるいはハイパーリンクの情報を、該情報を取得する機器の製造元毎あるいは通信サービス提供業者毎に図形コード化し、前記アプリケーション手段は、前記図形コード生成手段により生成された複数の図形コードを前記画面上に表示することを特徴とする表示装置。
【請求項２０】
請求項１乃至１９のいずれか１に記載の表示装置において、該表示装置の画面のサイズと解像度を取得する手段と、前記画面のサイズと解像度に合わせて前記図形コードのサイズを調整する手段とを備えていることを特徴とする表示装置。
【請求項２１】
Ｗｅｂデータの検索サービスを提供可能なサーバ装置において、指定された条件に従ってＷｅｂデータを検索する手段と、該検索したＷｅｂデータのアドレス情報を図形コード化する図形コード生成手段と、該生成した図形コードが前記Ｗｅｂデータのタイトルに併記あるいは代替して表示されるように検索結果を加工する手段とを備えていることを特徴とするサーバ装置。
【請求項２２】
請求項２１に記載のサーバ装置において、前記図形コード生成手段は、前記Ｗｅｂデータのアドレス情報を、該アドレス情報を取得する機器の製造元毎あるいは通信サービス提供業者毎に図形コード化することを特徴とするサーバ装置。
【請求項２３】
請求項２１又は２２に記載のサーバ装置において、前記図形コード生成手段は、前記アドレス情報及び該アドレス情報のタイトルを図形コード化することを特徴とするサーバ装置。
【請求項２４】
請求項１乃至２０のいずれか１に記載の表示装置としての機能を実行するためのプログラム。
【請求項２５】
請求項２４に記載のプログラムを記録したコンピュータ読み取り可能な記録媒体。
【発明の詳細な説明】
【技術分野】
【０００１】
本発明は、表示装置、サーバ装置、プログラム、及び記録媒体、より詳細には、画面に表示させるＷｅｂ（Ｗｏｒｌｄ  Ｗｉｄｅ  Ｗｅｂ）ページのアドレス情報や該Ｗｅｂページに含まれるハイパーリンクの情報を図形コード化して表示する機能を備えた表示装置、サーバ装置、プログラム、及び記録媒体に関する。
【背景技術】
【０００２】
デジタルカメラ付き携帯電話機などの通信端末にバーコードなどの１次元コードやＱＲ（Ｑｕｉｃｋ  Ｒｅｓｐｏｎｓｅ）コード（登録商標）などの２次元コード（以下、２次元コードで代表する）を読み取る機能が搭載され、出版物や広告などの紙媒体に２次元コードを印刷することで、紙媒体と通信機器とを繋いだサービスが展開されている。また、パーソナルコンピュータ（以下、ＰＣ）や携帯電話機などは、インターネットなどを介して提供されるＷｅｂページを閲覧するためのブラウザ機能（ブラウザソフト）を備え、Ｗｅｂ上で提供される様々な情報を取得できるようになっている。Ｗｅｂサイトの中には、特定のリンク先などのＵＲＬ（Ｕｎｉｆｏｒｍ  Ｒｅｓｏｕｒｃｅ  Ｌｏｃａｔｏｒｓ）を２次元コード化して画面上で提供しているものがある。２次元コード読取機能を備えた携帯電話機のユーザは、この携帯電話機を用いて、上記画面上で提供されている２次元コードを読み取って、特定のリンク先のＵＲＬを取得することができる。
【０００３】
ここで、ブラウザ機能を利用して、自宅のＰＣやネットワーク対応テレビジョン装置などで閲覧している所望のＷｅｂページを、外出先などで携帯電話機を用いて閲覧したい場合がある。この場合、上記ＷｅｂページのＵＲＬが２次元コードで提供されていれば、その２次元コードを携帯電話機で読み取ることでＵＲＬを取得することができるが、Ｗｅｂサイトによっては必ずしも２次元コードが提供されていないため、上記ＷｅｂページのＵＲＬを手作業で携帯電話機に入力するなどして対応していた。従って、入力に手間がかかる上に、入力間違いなどのミスを起こしやすいといった問題があった。
【０００４】
画面上にコード情報を表示させる技術に関し、例えば、特許文献１には、バーコード読取装置によって読み取り可能であるように、携帯情報端末等の汎用ディスプレイにバーコードを表示できるようにしたものが開示されている。この携帯情報端末は、インターネットから情報をダウンロード可能なブラウザによって取得したバーコードをディスプレイに表示させ、バーコード読取装置に読み取らせるようにしている。
【特許文献１】特開２００２−１１７３７２号公報
【発明の開示】
【発明が解決しようとする課題】
【０００５】
上記特許文献１に記載の発明は、バーコードそのものあるいはバーコード変換用の符号情報（英数字など）を特定のＷｅｂサイトや外部記録媒体などから取得する構成になっているため、携帯情報端末がバーコードを画面上に表示して渡せる情報は限定されてしまう。また、この携帯情報端末に表示させるバーコードは、専用ＰＯＳ（Ｐｏｉｎｔ  Ｏｆ  Ｓａｌｅｓ）端末などによる読み取りを前提としているため、バーコード化する情報は商品情報などである。従って、機器同士で所望の情報をやり取りできるようにはなっていない。
【０００６】
また、ＰＣやテレビジョン装置等の表示装置において、ユーザが画面上に現在表示させているＷｅｂページのＵＲＬをＱＲコードなどの図形コードに変換したい場合、図形コードに変換するソフトウェアを使って表示装置側で図形コードを生成し画面上に表示させることもできるが、この変換ソフトを立ち上げて変換に必要な各種情報を選択、入力するなどの煩雑な操作が必要となる。
【０００７】
本発明は、上述のごとき実情に鑑みてなされたものであり、Ｗｅｂデータを画面上に表示するブラウザ機能を備えた表示装置において、画面上に表示するＷｅｂデータのアドレス情報（ＵＲＬ）及び／又は該Ｗｅｂデータに含まれるハイパーリンクの情報を図形コード化して画面上に表示できるようにすること、を目的としてなされたものである。
【課題を解決するための手段】
【０００８】
上記課題を解決するために、本発明の第１の技術手段は、Ｗｅｂデータを画面上に表示するためのブラウザ手段と、該画面上に表示するＷｅｂデータのアドレス情報及び／又は該Ｗｅｂデータに含まれるハイパーリンクの情報を図形コード化する図形コード生成手段とを備え、前記ブラウザ手段は、前記図形コード生成手段により生成された図形コードを前記画面上に表示することを特徴としたものである。
【０００９】
第２の技術手段は、第１の技術手段において、Ｗｅｂデータを構成する複数のページを切り替え表示するためのタブを各ページに付加して画面上に表示可能とし、前記図形コード生成手段は、前記各ページのアドレス情報及び／又は該各ページに含まれるハイパーリンクの情報を図形コード化し、前記ブラウザ手段は、前記図形コード生成手段により生成された図形コードを前記各ページのタブに表示することを特徴としたものである。
【００１０】
第３の技術手段は、第１又は第２の技術手段において、前記ブラウザ手段は、前記Ｗｅｂデータの読み込みが完了した時点で、前記図形コード生成手段により生成された図形コードを前記画面に表示することを特徴としたものである。
【００１１】
第４の技術手段は、第３の技術手段において、前記ブラウザ手段は、前記Ｗｅｂデータの読み込み中にアニメーション動作するインジケータを表示可能とし、前記Ｗｅｂデータの読み込みが完了した時点で、前記図形コード生成手段により生成された図形コードを前記インジケータの代わりに表示することを特徴としたものである。
【００１２】
第５の技術手段は、第１又は第２の技術手段において、前記Ｗｅｂデータに範囲指定された文字列あるいはハイパーリンクを含む場合、前記図形コード生成手段は、前記文字列あるいは前記ハイパーリンクの情報を図形コード化し、前記ブラウザ手段は、前記文字列あるいは前記ハイパーリンクに対する所定の操作に従って、前記図形コード生成手段により生成された図形コードを前記文字列あるいは前記ハイパーリンクの位置にポップアップ表示することを特徴としたものである。
【００１３】
第６の技術手段は、第１又は第２の技術手段において、前記Ｗｅｂデータに範囲指定された文字列あるいはハイパーリンクを含む場合、前記図形コード生成手段は、前記文字列あるいは前記ハイパーリンクの情報を図形コード化し、前記ブラウザ手段は、前記文字列あるいは前記ハイパーリンクに対する所定の操作に従って、前記図形コード生成手段により生成された図形コードを前記画面上に表示することを特徴としたものである。
【００１４】
第７の技術手段は、第１又は第２の技術手段において、ユーザにより登録された所望のＷｅｂデータあるいは過去にアクセスしたＷｅｂデータのタイトル一覧を表示可能とし、前記図形コード生成手段は、前記一覧表示するＷｅｂデータのアドレス情報を図形コード化し、前記ブラウザ手段は、前記図形コード生成手段により生成された図形コードを前記一覧のＷｅｂデータのタイトルに併記あるいは代替して表示することを特徴としたものである。
【００１５】
第８の技術手段は、第１又は第２の技術手段において、Ｗｅｂデータの検索サービスを提供可能なＷｅｂサーバにアクセスする手段を備え、前記図形コード生成手段は、前記Ｗｅｂサーバにより検索されたＷｅｂデータのアドレス情報を図形コード化し、前記ブラウザ手段は、前記Ｗｅｂサーバにより検索されたＷｅｂデータのタイトルを一覧表示するときに、前記図形コード生成手段により生成された図形コードを前記一覧のＷｅｂデータのタイトルに併記あるいは代替して表示することを特徴としたものである。
【００１６】
第９の技術手段は、第８の技術手段において、前記Ｗｅｂデータのアドレス情報が該アドレス情報を取得する機器の種類に応じて複数存在する場合、前記図形コード生成手段は、前記機器毎のアドレス情報を図形コード化し、前記ブラウザ手段は、前記図形コード生成手段により生成された複数の図形コードを前記一覧のＷｅｂデータのタイトルに併記あるいは代替して表示することを特徴としたものである。
【００１７】
第１０の技術手段は、第１乃至第９のいずれか１の技術手段において、前記図形コード生成手段は、前記Ｗｅｂデータのアドレス情報及び／又は該Ｗｅｂデータに含まれるハイパーリンクの情報を、情報を取得する機器の製造元毎あるいは通信サービス提供業者毎に図形コード化し、前記ブラウザ手段は、前記図形コード生成手段により生成された複数の図形コードを前記画面上に表示することを特徴としたものである。
【００１８】
第１１の技術手段は、第１乃至第１０のいずれか１の技術手段において、前記図形コード生成手段は、前記アドレス情報及び該アドレス情報のタイトルを図形コード化することを特徴としたものである。
【００１９】
第１２の技術手段は、範囲指定された文字列あるいはハイパーリンクを含む電子メールの本文を画面上に表示する電子メール手段と、前記文字列あるいは前記ハイパーリンクの情報を図形コード化する図形コード生成手段とを備え、前記電子メール手段は、前記図形コード生成手段により生成された図形コードを前記画面上に表示することを特徴としたものである。
【００２０】
第１３の技術手段は、第１２の技術手段において、前記電子メール手段は、前記文字列あるいは前記ハイパーリンクに対する所定の操作に従って、前記図形コード生成手段により生成された図形コードを前記画面上に表示することを特徴としたものである。
【００２１】
第１４の技術手段は、第１２の技術手段において、前記電子メール手段は、前記文字列あるいは前記ハイパーリンクに対する所定の操作に従って、前記図形コード生成手段により生成された図形コードを前記文字列あるいは前記ハイパーリンクの位置にポップアップ表示することを特徴としたものである。
【００２２】
第１５の技術手段は、第１２乃至第１４のいずれか１の技術手段において、前記図形コード生成手段は、前記電子メールに含まれる文字列あるいはハイパーリンクの情報を、該情報を取得する機器の製造元毎あるいは通信サービス提供業者毎に図形コード化し、前記電子メール手段は、前記図形コード生成手段により生成された複数の図形コードを前記画面上に表示することを特徴としたものである。
【００２３】
第１６の技術手段は、範囲指定された文字列あるいはハイパーリンクを含む文書データを画面上に表示するアプリケーション手段と、前記文字列あるいは前記ハイパーリンクの情報を図形コード化する図形コード生成手段とを備え、前記アプリケーション手段は、前記図形コード生成手段により生成された図形コードを前記画面上に表示することを特徴としたものである。
【００２４】
第１７の技術手段は、第１６の技術手段において、前記アプリケーション手段は、前記文字列あるいは前記ハイパーリンクに対する所定の操作に従って、前記図形コード生成手段により生成された図形コードを前記画面上に表示することを特徴としたものである。
【００２５】
第１８の技術手段は、第１６の技術手段において、前記アプリケーション手段は、前記文字列あるいは前記ハイパーリンクに対する所定の操作に従って、前記図形コード生成手段により生成された図形コードを前記文字列あるいは前記ハイパーリンクの位置にポップアップ表示することを特徴としたものである。
【００２６】
第１９の技術手段は、第１６乃至第１８のいずれか１の技術手段において、前記図形コード生成手段は、前記文書データに含まれる文字列あるいはハイパーリンクの情報を、該情報を取得する機器の製造元毎あるいは通信サービス提供業者毎に図形コード化し、前記アプリケーション手段は、前記図形コード生成手段により生成された複数の図形コードを前記画面上に表示することを特徴としたものである。
【００２７】
第２０の技術手段は、第１乃至第１９のいずれか１の技術手段において、前記表示装置の画面のサイズと解像度を取得する手段と、前記画面のサイズと解像度に合わせて前記図形コードのサイズを調整する手段とを備えていることを特徴としたものである。
【００２８】
第２１の技術手段は、Ｗｅｂデータの検索サービスを提供可能なサーバ装置において、指定された条件に従ってＷｅｂデータを検索する手段と、該検索したＷｅｂデータのアドレス情報を図形コード化する図形コード生成手段と、該生成した図形コードが前記Ｗｅｂデータのタイトルに併記あるいは代替して表示されるように検索結果を加工する手段とを備えていることを特徴としたものである。
【００２９】
第２２の技術手段は、第２１の技術手段において、前記図形コード生成手段は、前記Ｗｅｂデータのアドレス情報を、該アドレス情報を取得する機器の製造元毎あるいは通信サービス提供業者毎に図形コード化することを特徴としたものである。
【００３０】
第２３の技術手段は、第２１又は第２２の技術手段において、前記図形コード生成手段は、前記アドレス情報及び該アドレス情報のタイトルを図形コード化することを特徴としたものである。
【００３１】
第２４の技術手段は、第１乃至第２０のいずれか１の技術手段における表示装置としての機能を実行するためのプログラムである。
【００３２】
第２５の技術手段は、第２４の技術手段におけるプログラムを記録したコンピュータ読み取り可能な記録媒体である。
【発明の効果】
【００３３】
本発明によれば、Ｗｅｂデータを画面上に表示するブラウザ機能を備えた表示装置において、画面上に表示するＷｅｂデータのアドレス情報（ＵＲＬ）及び／又は該Ｗｅｂデータに含まれるハイパーリンクの情報を図形コード化して画面上に表示できるため、コード情報読取機能を備えた携帯電話機などの通信端末を用いて画面上の図形コードを読み取り、取得されたＵＲＬによりＷｅｂデータを閲覧したり、ハイパーリンクの情報を簡単に取得することができる。
【発明を実施するための最良の形態】
【００３４】
本発明の表示装置は、パーソナルコンピュータ（ＰＣ）やネットワーク対応テレビジョン装置などのディスプレイを備える装置全般に適用可能であり、Ｗｅｂサーバあるいはローカルファイルから取得されるＷｅｂページ（以下、しばしばＷｅｂデータと同じ意味として用いる）を画面上に表示するブラウザ部と、画面上に表示するＷｅｂページのアドレス情報（ＵＲＬ）及び／又は該Ｗｅｂページに含まれるハイパーリンクの情報（例えば、当該Ｗｅｂページに貼られたリンク先のＵＲＬや、電話番号、電子メールアドレスなどを含む）をバーコードや２次元コードなどの図形コード化する図形コード生成部とを備え、図形コード生成部により生成された図形コードを画面上に表示するように構成されている。
【００３５】
また、本発明の表示装置は、上記ブラウザ部の代わりに、ＨＴＭＬなどのハイパーリンクに対応した電子メールを閲覧するための電子メール部を備える構成としてもよい。また、ブラウザ部と電子メール部を両方備えるようにしてもよい。また、各種の文書データを表示、編集するためのアプリケーション部を備える構成としてもよい。
【００３６】
本発明は、Ｗｅｂデータを表示するためのデータ形式であるＨＴＭＬ形式、ＸＭＬ形式など、さらには、文書作成，表計算，プレゼンテーションなどの各種アプリケーションソフトウェアにおけるデータ形式であるＰＤＦ形式、Ｆｌａｓｈ形式、ＤＯＣ形式（Ｍｉｃｒｏｓｏｆｔ  Ｗｏｒｄ（登録商標）のデータ形式）、ＸＬＳ形式（Ｍｉｃｒｏｓｏｆｔ  Ｅｘｃｅｌ（登録商標）のデータ形式）、ＰＰＴ形式（Ｍｉｃｒｏｓｏｆｔ  ＰｏｗｅｒＰｏｉｎｔ（登録商標）のデータ形式）などのハイパーリンクをサポートするデータ形式全てを対象とすることができる。
【００３７】
上記構成により、本発明の表示装置の画面上に表示された図形コードを、コード情報読取機能付き通信端末で読み取ることにより、通信端末において、表示装置に表示されているＷｅｂページのＵＲＬや、該Ｗｅｂページに含まれるハイパーリンクの情報（電子メールアドレスや電話番号など）を取得し、取得したＵＲＬからＷｅｂページを閲覧したり、取得した電子メールアドレスの宛先に電子メールを送信したり、取得した電話番号の相手に電話することができる。
【００３８】
ここで、本発明が適用される図形コードは、１次元のバーコード、２次元コードのいずれであってもよいが、１次元の横方向（又は縦方向）にのみ情報を有するバーコードに比べ、２次元の縦・横両方向に情報を有する２次元コードは、大量の情報を記録できる利点がある。
【００３９】
また、２次元コードにはいくつかの方式があるが、スタック方式と、マトリックス方式とに大別される。スタック方式の２次元コードは、２進化コードで表されるデータをバーコード化し、当該バーコードをバーの配列方向に対して直交する方向に多段（列）に積み重ねた構造を採用しており、各列を識別するために、各列にスタートコードとストップコードとが備えられている。
【００４０】
一方、マトリックス方式の２次元コードは、２進化コードで表されるデータをセル化し、当該セルを縦横２方向に配列するものであり、表示エリアを明（白）又は暗（黒）のセル（一般に、正方形状のセル）のセルパターンで表現し、かかるセルパターンの角度とサイズとを読み取ることにより解読される。
【００４１】
２次元コードを正しく解読するためには、各バーや各セルの明暗（白黒）の判別が正確に行われなくてはならない。従って、読み取るべきデータ位置を示す各バーや各セルの中心位置の決定が重要となる。また、シンボル（即ち２次元コード）の方向を判別するために、「Ｌ型のガイドセル」や「切り出しシンボル」を設け、３６０°全方向からの２次元コードの読み取りと高速読み取りとを可能にしている。
【００４２】
スタック方式の２次元コードに関する代表的なコード例としては、ＣＯＤＥ４９、ＣＯＤＥ１６Ｋ、ＰＤＦ４１７等が挙げられ、マトリックス方式の２次元コードに関する代表的なコード例としては、ＤＡＴＡ  ＣＯＤＥ、ＱＲコード、ＭＡＸＩ  ＣＯＤＥ、Ｖｅｒｉ  ＣＯＤＥ、ＣＯＤＥ１、アレイタグ、ＣＰコード、カルラコード等が挙げられる。本発明の表示装置は、上述したバーコードあるいは２次元コードを生成する機能を備えている。
【００４３】
図１は、本発明の一実施形態に係る図形コード表示システムの構成例を示す図で、図中、１はインターネットなどの通信ネットワーク、２は通信ネットワーク１上で提供されるＷｅｂサイト、１０はＰＣやテレビジョン装置などの表示装置、２０はコード情報読取機能を備えたデジタルカメラ付き携帯電話機を示す。まず、表示装置１０は、通信ネットワーク１にアクセスしてＷｅｂサイト２から提供されるＷｅｂデータを取得し（Ｓ１）、取得したＷｅｂデータを画面上に表示する（Ｓ２）。この際、ＷｅｂデータのＵＲＬを自動的に２次元コード化して画面上に表示する。次に、携帯電話機２０は、表示装置１０の画面上に表示された２次元コードを読み取って（Ｓ３）、読み取った２次元コードから得られるＵＲＬのＷｅｂサイト２にアクセスしてＷｅｂデータを画面上に表示させる（Ｓ４）。なお、上記Ｓ１において、Ｗｅｂデータを通信ネットワーク１からではなくローカルファイルから取得するようにしてもよい。
【００４４】
図２は、本発明の他の実施形態に係る図形コード表示システムの構成例を示す図で、図中、３は通信ネットワーク１上で提供される検索サービスの検索Ｗｅｂサイト、３０は検索サービスを提供するためのＷｅｂサーバ装置を示す。本実施形態は、図１に示した構成に、検索Ｗｅｂサイト３、Ｗｅｂサーバ装置３０を追加した構成とし、本発明の表示装置１０を、Ｗｅｂサイトの検索サービスに適用した例について示す。まず、表示装置１０は、通信ネットワーク１上で検索サービスを提供する検索Ｗｅｂサイト３にアクセスし（Ｓ１１）、検索Ｗｅｂサイト３から提供される検索用Ｗｅｂデータから所望のキーワードなどを入力して、Ｗｅｂサーバ装置３０にＷｅｂサイトの検索を指示する（Ｓ１２）。Ｗｅｂサーバ装置３０は、表示装置１０からの検索指示に従って、上記キーワードに応じたＷｅｂサイトの検索を行い、検索結果として該当するＷｅｂサイトのリストを生成し（Ｓ１３）、生成したＷｅｂサイトのリストを検索Ｗｅｂサイト３から表示装置１０に提供する（Ｓ１４）。
【００４５】
次に、表示装置１０は、検索Ｗｅｂサイト３から提供される検索結果（Ｗｅｂサイトのリスト）を取得し、取得した検索結果を画面上に表示する（Ｓ１５）。この際、検索結果の各ＷｅｂサイトのＵＲＬを自動的に２次元コード化して画面上に表示する。次に、携帯電話機２０は、表示装置１０の画面上にリスト表示された複数の２次元コードの中から所望の２次元コードを読み取って（Ｓ１６）、読み取った２次元コードから得られるＵＲＬのＷｅｂサイト２にアクセスしてそのＷｅｂデータを画面上に表示させる（Ｓ１７）。なお、上記Ｓ１４において、Ｗｅｂサイトのリストを通信ネットワーク１からではなくローカルファイルから取得するようにしてもよい。
【００４６】
図３は、本発明の表示装置１０の構成例を示すブロック図で、表示装置１０は、通信ネットワーク１に接続するための通信部１１、表示装置１０を制御する主制御部１２、Ｗｅｂデータなどを記憶する記憶部１３、表示部１５への表示制御を行う表示ドライバ１４、液晶ディスプレイなどの表示部１５、ユーザ入力を受け付けるキーボードなどの操作部１６、電力を供給するための電源部１７を備えている。通信部１１は、インターネットなどの通信ネットワーク１に接続するための手段であって、本実施形態では表示装置１０に内蔵した構成として示しているが、外部機器としてもよい。また、記憶部１３のローカルファイルを閲覧する場合には通信部１１を含まない構成としてもよい。
【００４７】
主制御部１２は、通信部１１（通信ネットワーク１上のＷｅｂサイト）あるいは記憶部１３（ローカルファイル）から取得されるＷｅｂデータを表示部１５に表示するブラウザ部１２ａ、ブラウザ部１２ａからＷｅｂデータのＵＲＬを取得するＵＲＬ取得部１２ｂ、取得したＵＲＬを図形コード化する図形コード生成部１２ｃ、を有している。図形コード生成部１２ｃは、ＵＲＬのみ、あるいは、ＵＲＬとそのＵＲＬに応じたタイトル（例えば、○○株式会社の公式ホームページなど）の両方を図形コード化してもよい。タイトルを含める場合、ＷｅｂデータのＨＴＭＬファイル中のＴｉｔｌｅタグからタイトル情報を抽出し、ＵＲＬと併せて図形コード化することができる。上記ブラウザ部１２ａ、ＵＲＬ取得部１２ｂ、及び図形コード生成部１２ｃは、ブラウザ機能及び図形コード生成／表示機能を提供するためのプログラム（以下、ソフトウェア）で構成され、記憶部１３に格納されており、実行時に主制御部１２により読み出されて実行される。
【００４８】
なお、ＵＲＬ取得部１２ｂは、画面上に表示するＷｅｂデータのＵＲＬだけでなく、そのＷｅｂデータにハイパーリンクが含まれている場合、ハイパーリンクの情報（例えば、リンク先のＵＲＬや、電子メールアドレス、電話番号など）を取得するようにしてもよい。この場合、図形コード生成部１２ｃは、上記取得されたハイパーリンクの情報を図形コード化する。
【００４９】
表示装置１０により生成される図形コードの画面表示例を図４に示す。図４（Ａ）は、タブ表示対応ではないブラウザ部１２ａの画面表示例を示す図で、ブラウザ画面４０は、Ｗｅｂデータ４１、Ｗｅｂデータ４１のＵＲＬ４２、ＵＲＬ４２の図形コード４３を所定のレイアウトで表示している。また、図４（Ｂ）は、タブ表示対応のブラウザ部１２ａの画面表示例を示す図で、ブラウザ画面４０は、Ｗｅｂデータ４１、Ｗｅｂデータ４１のＵＲＬ４２、ＵＲＬ４２の図形コード４３、Ｗｅｂデータ４１を構成する各ページのタブ４４ａ〜４４ｃを所定のレイアウトで表示している。ブラウザ部１２ａは、Ｗｅｂデータ４１の読み込み開始時あるいは読み込み終了時に、図形コード生成部１２ｃにより生成された図形コード４３を、図４（Ａ）あるいは図４（Ｂ）に示すＵＲＬ４２の位置に併記して表示する。このように生成／表示された図形コード４３を携帯電話機２０で読み取ることによりＵＲＬ４２を簡単且つ間違いなく取得することができるため、携帯電話機２０にＵＲＬ４２を再入力し直す手間がかからず、また、入力間違いを起こすことがない。
【００５０】
上記ブラウザ機能を実行するソフトウェアには、図４（Ｂ）に示すように、Ｗｅｂデータを構成する複数のページを切り替え表示するためのタブを各ページに付加して画面上に表示するタブ表示対応のものがある。図５は、タブ表示対応のブラウザ部１２ａで図形コードをページ毎に表示させたときの画面例を示す図で、ブラウザ画面５０は、Ｗｅｂデータ５１、Ｗｅｂデータ５１のＵＲＬ５２、Ｗｅｂデータ５１を構成する各ページの図形コード５３ａ〜５３ｃ、Ｗｅｂデータ５１を構成する各ページのタブ５４ａ〜５４ｃを所定のレイアウトで表示している。本例の場合、図形コード生成部１２ｃは、Ｗｅｂデータ５１を構成する各ページ（本例では３ページ分）のＵＲＬを図形コード化し、ブラウザ部１２ａは、図形コード生成部１２ｃにより生成された図形コード５３ａ〜５３ｃを、各ページのタブ５４ａ〜５４ｃに表示する。これにより、画面上でアクティブでないページでもタブを切り替えることなく、携帯電話機２０を用いて所望のページの図形コードを素早く読み取ることが可能となる。
【００５１】
ブラウザ部１２ａが図形コードを表示させるタイミングとして、図４及び図５において、Ｗｅｂデータの読み込みが完了した時点で、図形コード生成部１２ｃにより生成された図形コードを画面上に表示するようにしてもよい。これにより、図形コードの表示によってＷｅｂデータの読み込みが完了したことを通知できる。
【００５２】
また、Ｗｅｂデータに範囲指定された文字列あるいはハイパーリンクを含む場合、図形コード生成部１２ｃは、文字列あるいはハイパーリンクの情報（例えば、リンク先のＵＲＬ、電子メールアドレス、電話番号など）を図形コード化し、ブラウザ部１２ａは、文字列あるいはハイパーリンクに対する所定の操作（例えば、カーソルを置いたり、右クリックするなど）に従って、図形コード生成部１２ｃにより生成された図形コードを文字列あるいはハイパーリンクの位置にポップアップ表示するようにしてもよい。また、ポップアップ表示以外の表示方法でもよく、図形コードを画面上の任意のスペースに表示することができればよい。これについて後述の図１０及び図１１に示す画面例を用いて詳細に説明する。
【００５３】
図６は、ブラウザ部１２ａにより表示される読み込みインジケータを有する画面表示例を示す図である。図６（Ａ）に示す画面は、タブ表示対応でないＷｅｂデータの画面表示例であって、ブラウザ画面６０は、Ｗｅｂデータ６１、Ｗｅｂデータ６１のＵＲＬ６２、Ｗｅｂデータ６１の読み込みインジケータ６３を所定のレイアウトで表示している。また、図６（Ｂ）に示す画面は、タブ表示対応のＷｅｂデータの画面表示例であって、ブラウザ画面６０は、Ｗｅｂデータ６１、Ｗｅｂデータ６１のＵＲＬ６２、Ｗｅｂデータ６１を構成する各ページの読み込みインジケータ６３、Ｗｅｂデータ６１を構成する各ページのタブ６４ａ〜６４ｃを所定のレイアウトで表示している。また、図６（Ｃ）に示す画面は、タブ表示対応のＷｅｂデータの他の画面表示例であって、ブラウザ画面６０は、Ｗｅｂデータ６１、Ｗｅｂデータ６１のＵＲＬ６２、Ｗｅｂデータ６１を構成するページ毎の読み込みインジケータ６３ａ〜６３ｃ、Ｗｅｂデータ６１を構成する各ページのタブ６４ａ〜６４ｃを所定のレイアウトで表示している。
【００５４】
図６（Ａ）において、ブラウザ部１２ａは、Ｗｅｂデータ６１の読み込み中にアニメーション動作する読み込みインジケータ６３を表示可能とし、Ｗｅｂデータ６１の読み込みが完了した時点で、図形コード生成部１２ｃにより生成された図形コード６５を読み込みインジケータ６３の代わりに表示する。表示される図形コード６５は、例えば、読み込まれたＷｅｂページ６１に対応するＵＲＬが図形コード化されたものである。
【００５５】
また、図６（Ｂ）において、ブラウザ部１２ａは、Ｗｅｂデータ６１のいずれかのページの読み込み中にアニメーション動作する読み込みインジケータ６３を表示可能とし、Ｗｅｂデータ６１の該当ページの読み込みが完了した時点で、図形コード生成部１２ｃにより生成された図形コード６５を読み込みインジケータ６３の代わりに表示する。表示される図形コード６５は、例えば、読み込まれたページに対応するＵＲＬが図形コード化されたものである。
【００５６】
また、図６（Ｃ）においては、ブラウザ部１２ａは、Ｗｅｂデータ６１のいずれかのページの読み込み中にアニメーション動作する読み込みインジケータ６３をタブ６４ａ〜６４ｃそれぞれに表示させている。この場合、Ｗｅｂデータ６１の該当ページの読み込みが完了した時点で、図形コード生成部１２ｃにより生成された図形コード６５を、該当ページのタブに表示されている読み込みインジケータ６３の代わりに表示する。なお、表示される図形コード６５は、例えば、読み込まれたページに対応するＵＲＬが図形コード化されたものである。これにより、図形コードの表示によってＷｅｂデータの読み込みが完了したことを通知できる上に、図形コードを読み込みインジケータに代替して表示できるため、画面上のスペースを節約することができる。
【００５７】
図７は、Ｗｅｂサーバ装置３０から提供される検索結果の一覧を表示装置１０の画面上に表示したときの画面例を示す図である。図７（Ａ）は、各検索結果に図形コードを埋め込んで表示したときの画面例を示し、ブラウザ画面７０には、検索キーワード７１、検索キーワード７１に対応した検索結果一覧７２、検索結果一覧７２の各検索結果のＵＲＬを図形コード化して埋め込まれた図形コード７３が所定のレイアウトで表示されている。なお、図形コードの埋め込み加工は、表示装置１０、Ｗｅｂサーバ装置３０のいずれで行ってもよい。
【００５８】
また、図７（Ｂ）は、検索結果のいずれかにカーソルを置くことにより図形コードをポップアップ表示したときの画面例を示す。このように、ブラウザ画面７０において、検索結果一覧７２の任意の検索結果（本例では“シャープ株式会社”）にカーソル７４が置かれると、検索結果の“シャープ株式会社”のＵＲＬを図形コード化し、その図形コード７３がポップアップで表示される。
【００５９】
ここで、図形コードを読み取る携帯電話機２０の製造元や通信キャリアによってＵＲＬが異なったり、図形コードの生成ルールが異なることがある。この場合、図形コード生成部１２ｃは、ＷｅｂデータのＵＲＬを取得する携帯電話機２０の製造元（携帯端末メーカ）あるいは携帯電話機２０の通信サービス提供業者（通信キャリア）の種類に応じて複数のＵＲＬを図形コード化し、ブラウザ部１２ａは、図形コード生成部１２ｃにより生成された複数の図形コードを検索結果一覧の各タイトルに併記あるいは代替して表示するようにしてもよい。この場合、図７（Ａ）に示すブラウザ画面の表示スペースに、複数の図形コードを並べて表示する。あるいは、図７（Ｂ）に示すブラウザ画面のポップアップ表示に複数の図形コードを並べて表示する。ユーザは自分の携帯電話機２０に応じた図形コードを読み取る必要があるため、個々の図形コードがどの通信メーカ向けなのか、あるいは、どの通信キャリア向けなのかわかるように明示しておくとよい。
【００６０】
また、検索結果のＵＲＬが、例えば、携帯電話機向け、ＰＣ向けなど、機器の種類に応じて複数存在する場合、図形コード生成部１２ｃは、機器毎のＵＲＬを図形コード化し、ブラウザ部１２ａは、図形コード生成部１２ｃにより生成された複数の図形コードを検索結果一覧の各タイトルに併記あるいは代替して表示するようにしてもよい。この際、個々の図形コードがどの機器（ＰＣ、携帯電話機など）向けなのかわかるように明示しておくとよい。
【００６１】
以上では、ブラウザ画面上で図形コードを表示する例について説明したが、表示装置１０が図示しない電子メール部（電子メールソフト）を備える場合、電子メールの本文に含まれる、範囲指定された文字列あるいはハイパーリンクの情報を図形コード化して表示するように構成してもよい。この場合、表示装置１０は、電子メールの本文に含まれる文字列あるいはハイパーリンクに対する所定の操作（例えば、カーソルを置く、右クリックするなど）に従って、上記図形コードを画面上に表示するようにしてもよい。
【００６２】
また、表示装置１０が図示しないアプリケーション部（アプリケーションソフト）を備える場合、文書データに含まれる、範囲指定された文字列あるいはハイパーリンクの情報を図形コード化して表示するように構成してもよい。この場合、表示装置１０は、文書データに含まれる文字列あるいはハイパーリンクに対する所定の操作（例えば、カーソルを置く、右クリックするなど）に従って、上記図形コードを画面上に表示するようにしてもよい。以下、表示装置１０が電子メールソフトを備えた場合の例について説明するが、アプリケーションソフトを備えた場合でも同様である。
【００６３】
図８は、本発明の表示装置１０が備える電子メール部による画面表示例を示す図である。図８（Ａ）は、電子メールの本文に図形コードを埋め込み表示したときの画面例を示す図で、電子メール画面８０には、ハイパーリンク８１、図形コード８２が表示されている。本例ではハイパーリンク８１の情報はＵＲＬであり、該ＵＲＬが図形コード化され、この図形コード８２が電子メールの本文に埋め込み表示される。
【００６４】
また、図８（Ｂ）は、電子メールの本文上で図形コードをポップアップ表示したときの画面例を示す図で、電子メール画面８０は、ハイパーリンク８１、図形コード８２、カーソル８３が表示されている。本例ではハイパーリンク８１の情報はＵＲＬであり、ハイパーリンク８１にカーソル８３を置くことにより、該当するＵＲＬが図形コード化され、この図形コード８２が電子メールの本文上でポップアップ表示される。
【００６５】
また、図８（Ｃ）は、電子メールの属性情報欄に図形コードを表示したときの画面例を示す図で、電子メール画面８０は、ハイパーリンク８１、図形コード８２、カーソル８３、属性情報欄８４が表示されている。この属性情報欄８４には、例えば、電子メールの差出人、送信日時、宛先、件名などの情報が表示される。本例ではハイパーリンク８１の情報はＵＲＬであり、ハイパーリンク８１にカーソル８３を置くことにより、該当するＵＲＬが図形コード化され、この図形コード８２が属性情報欄８４の任意の位置に埋め込み表示される。
【００６６】
図８において、図形コードを読み取る携帯電話機２０の製造元や通信キャリアによってハイパーリンクの情報（ＵＲＬで代表する）等が異なったり、図形コードの生成ルールが異なる場合がある。このような場合に対応するために、図形コード生成部１２ｃは、ＷｅｂデータのＵＲＬを取得する携帯電話機２０の製造元（携帯端末メーカ）あるいは携帯電話機２０の通信サービス提供業者（通信キャリア）の種類に応じて複数のＵＲＬを図形コード化し、図示しない電子メール部は、図形コード生成部１２ｃにより生成された複数の図形コードを画面上に表示するようにしてもよい。例えば、電子メール画面の任意の表示スペースに、複数の図形コードを並べて表示する。この際、ユーザは自分の携帯電話機２０に応じた図形コードを読み取る必要があるため、個々の図形コードがどの通信メーカ向けなのか、あるいは、どの通信キャリア向けなのかわかるように明示しておくとよい。
【００６７】
次に、ブラウザ部１２ａによりお気に入りリストあるいはアクセス履歴リストを表示したときの画面例を図９に示す。図９（Ａ）は、ブラウザ部１２ａによりお気に入りリストを表示したときの画面例を示す図で、ブラウザ画面９０は、お気に入りリスト９１、図形コード９２、Ｗｅｂページ９３を所定のレイアウトで表示している。また、図９（Ｂ）は、ブラウザ部１２ａによりアクセス履歴リストを表示したときの画面例を示す図で、ブラウザ画面９０は、Ｗｅｂページ９３、アクセス履歴リスト９４、図形コード９５を所定のレイアウトで表示している。なお、本発明におけるタイトル一覧には、各Ｗｅｂページの「○○株式会社のホームページ」などのタイトル一覧以外に、各ＷｅｂページのＵＲＬ一覧、あるいは、タイトルとＵＲＬの混在したものも含むものとする。
【００６８】
図９（Ａ）において、お気に入りリスト９１を一覧表示する際に、図形コード生成部１２ｃは、お気に入りリスト９１に一覧表示するＷｅｂページのＵＲＬを図形コード化し、ブラウザ部１２ａは、図形コード生成部１２ｃにより生成された図形コード９２をお気に入りリスト９１のＷｅｂページのタイトルに併記あるいは代替して表示する。同様に、図９（Ｂ）において、アクセス履歴リスト９４を一覧表示する際に、図形コード生成部１２ｃは、アクセス履歴リスト９４に一覧表示するＷｅｂページのＵＲＬを図形コード化し、ブラウザ部１２ａは、図形コード生成部１２ｃにより生成された図形コード９５をアクセス履歴リスト９４のＷｅｂページのタイトルに併記あるいは代替して表示する。
【００６９】
図９において、図形コードを読み取る携帯電話機２０の製造元や通信キャリアによってＵＲＬが異なったり、図形コードの生成ルールが異なる場合がある。このような場合に対応するために、図形コード生成部１２ｃは、ＷｅｂデータのＵＲＬを取得する携帯電話機２０の製造元（携帯端末メーカ）あるいは携帯電話機２０の通信サービス提供業者（通信キャリア）の種類に応じて複数のＵＲＬを図形コード化し、ブラウザ部１２ａは、図形コード生成部１２ｃにより生成された複数の図形コードを画面上に表示するようにしてもよい。例えば、ブラウザ画面の任意の表示スペースに、複数の図形コードを並べて表示する。この際、ユーザは自分の携帯電話機２０に応じた図形コードを読み取る必要があるため、個々の図形コードがどの通信メーカ向けなのか、あるいは、どの通信キャリア向けなのかわかるように明示しておくとよい。
【００７０】
もちろん、検索結果の一覧を表示する場合でも、図形コードをブラウザ画面上にポップアップ表示させてもよいことは言うまでもない。
【００７１】
また、表示装置１０は、画面のサイズと解像度に合わせて図形コードのサイズを調整する機能を備えるようにしてもよい。この機能はブラウザ部１２ａにより実行される。画面のサイズと解像度は、例えば、表示装置１０にインストールされているＭｉｃｒｏｓｏｆｔ  Ｗｉｎｄｏｗｓ（登録商標）などのＯＳ（Ｏｐｅｒａｔｉｏｎ  Ｓｙｓｔｅｍ）から取得することができる。これにより、図形コードが変形しないように、画面に対してｄｏｔ  ｂｙ  ｄｏｔの縦横整数倍で等倍あるいは拡大して表示することが可能となる。
【００７２】
図１０は、Ｗｅｂデータ内のハイパーリンクにフォーカスを当てたときの画面例を示す図で、ブラウザ画面１００は、ハイパーリンク１０１、カーソル１０２、図形コード１０３を表示する。図１０（Ａ）に示すブラウザ画面１００において、ハイパーリンク１０１の情報はＵＲＬであり、ハイパーリンク１０１にカーソル１０２を置くことにより、該当するＵＲＬが図形コード化され、この図形コード１０３がブラウザ画面上でポップアップ表示される。なお、本例のハイパーリンク１０１は、イメージデータあるいは文字列である。
【００７３】
また、図１０（Ｂ）に示すブラウザ画面は、図１０（Ａ）に示した例の応用例であって、ハイパーリンク１０１がａｌｔ属性を備えるイメージデータに設定されている場合について示している。カーソル１０２が置かれているイメージデータ１０１のａｌｔ属性として、“シャープ株式会社のホームページ”が指定されており、本例の図形コード１０３は、図形コードとともに、上記“シャープ株式会社のホームページ”を表示する。
【００７４】
また、図１０（Ｃ）に示すブラウザ画面は、図１０（Ａ）に示した例の他の応用例であって、ハイパーリンク１０１が文字列に設定されている場合について示している。カーソル１０２が置かれている文字列１０１に、“世界初  半導体工場排水の無希釈窒素処理技術を開発”が指定されており、本例の図形コード１０３は、図形コードとともに、上記“世界初  半導体工場排水の無希釈窒素処理技術を開発”を表示する。
【００７５】
図１１は、Ｗｅｂデータ内のハイパーリンクにフォーカスを当てたときの他の画面例を示す図で、ブラウザ画面１００は、ハイパーリンク１０１、カーソル１０２、図形コード１０３ａ，１０３ｂ、属性情報欄１０４を表示している。この属性情報欄１０４には、例えば、現在表示されているＷｅｂページのＵＲＬ（http://www.sharp.co.jp/）と、そのＵＲＬに対応する図形コード１０３ｂ（図中、“このページ”）と、ハイパーリンク１０１のＵＲＬに対応する図形コード１０３ａ（図中、“リンク先”）とが表示される。図１１（Ａ）に示すブラウザ画面１００において、ハイパーリンク１０１の情報はＵＲＬであり、ハイパーリンク１０１にカーソル１０２を置くことにより、該当するＵＲＬが図形コード化され、このリンク先の図形コード１０３ａが、現在表示されているＷｅｂページのＵＲＬ（http://www.sharp.co.jp/）に対応するこのページの図形コード１０３ｂと共に、属性情報欄１０４の任意の位置に表示される。なお、本例のハイパーリンク１０１は、イメージデータあるいは文字列である。
【００７６】
また、図１１（Ｂ）に示すブラウザ画面は、図１１（Ａ）に示した例の応用例であって、ハイパーリンク１０１がａｌｔ属性を備えるイメージデータに設定されている場合について示している。カーソル１０２が置かれているイメージデータ１０１のａｌｔ属性として、“シャープ株式会社のホームページ”が指定されており、図１１（Ａ）と同様に、イメージデータ１０１にカーソル１０２を置くことにより、該当するＵＲＬが図形コード化され、このリンク先の図形コード１０３ａが、現在表示されているＷｅｂページのＵＲＬ（http://www.sharp.co.jp/）に対応するこのページの図形コード１０３ｂと共に、属性情報欄１０４の任意の位置に表示される。この際、リンク先の図形コード１０３ａの近傍には、上記ａｌｔ属性で指定された、“シャープ株式会社のホームページ”がリンク先１０５として同時に表示される。
【００７７】
また、図１１（Ｃ）に示すブラウザ画面は、図１１（Ａ）に示した例の他の応用例であって、ハイパーリンク１０１が文字列に設定されている場合について示している。カーソル１０２が置かれている文字列１０１に、“世界初  半導体工場排水の無希釈窒素処理技術を開発”が指定されており、文字列１０１にカーソル１０２を置くことにより、該当するＵＲＬが図形コード化され、このリンク先の図形コード１０３ａが、現在表示されているＷｅｂページのＵＲＬ（http://www.sharp.co.jp/）に対応するこのページの図形コード１０３ｂと共に、属性情報欄１０４の任意の位置に表示される。この際、リンク先の図形コード１０３ａの近傍には、上記指定された、“世界初  半導体工場排水の無希釈窒素処理技術を開発”がリンク先１０５として同時に表示される。
【００７８】
図１０及び図１１に示したように、本発明の図形コードは、ブラウザ画面上にポップアップ表示させてもよいし、ブラウザ画面上の属性情報欄の任意の位置に埋め込み表示させるようにしてもよく、様々な表示パターンで画面表示することができる。
【００７９】
図１２は、本発明の携帯電話機２０の構成例を示すブロック図で、携帯電話機２０は、通信ネットワーク１に接続するための通信部２１、携帯電話機２０を制御する主制御部２２、Ｗｅｂデータなどを記憶する記憶部２３、表示部２５への表示制御を行う表示ドライバ２４、液晶ディスプレイなどの表示部２５、ユーザ入力を受け付ける操作キー群からなる操作部２６、電力を供給するための電源部２７、デジタルカメラ機能を提供するためのカメラ部２８を備えている。通信部２１は、インターネットなどの通信ネットワーク１に接続するための手段であって、本実施形態では携帯電話機２０に内蔵した構成として示しているが、外部機器としてもよい。
【００８０】
主制御部２２は、カメラ部２８で撮影された図形コードを解析する図形コード解析部２２ａ、解析した図形コードからＵＲＬを取得するＵＲＬ取得部２２ｂ、取得したＵＲＬのＷｅｂサイトに通信部２１を介してアクセスしてそのＷｅｂデータを表示部２５に表示するブラウザ部２２ｃを有している。上記図形コード解析部２２ａ、ＵＲＬ取得部２２ｂ、及びブラウザ部２２ｃは、ブラウザ機能及び図形コード解析機能を提供するためのソフトウェアで構成され、記憶部２３に格納されており、実行時に主制御部２２により読み出されて実行される。
【００８１】
図１３は、本発明のＷｅｂサーバ装置３０の構成例を示すブロック図で、Ｗｅｂサーバ装置３０は、通信ネットワーク１に接続するための通信部３１、Ｗｅｂサーバ装置３０を制御する主制御部３２、Ｗｅｂデータなどを記憶する記憶部３３、表示部３５への表示制御を行う表示ドライバ３４、液晶ディスプレイなどの表示部３５、ユーザ入力を受け付けるキーボードなどの操作部３６、電力を供給するための電源部３７を備えている。通信部３１は、インターネットなどの通信ネットワーク１に接続するための手段であって、本実施形態ではＷｅｂサーバ装置３０に内蔵した構成として示しているが、外部機器としてもよい。このＷｅｂサーバ装置３０は、Ｗｅｂサイトの検索サービスを提供する機能を備え、表示装置１０からの検索指示に応じて、該当するＷｅｂサイトを検索し、その検索結果を表示装置１０に提供する。
【００８２】
主制御部３２は、表示装置１０からの検索指示に従ってＷｅｂサイトを検索するＷｅｂサイト検索部３２ａ、検索したＷｅｂサイトのＵＲＬを取得するＵＲＬ取得部３２ｂ、取得したＵＲＬを図形コード化する図形コード生成部３２ｃ、生成した図形コードがＷｅｂデータのタイトルに併記あるいは代替して表示されるように検索結果を加工するＷｅｂデータ加工部３２ｄを有している。上記Ｗｅｂサイト検索部３２ａ、ＵＲＬ取得部３２ｂ、図形コード生成部３２ｃ、及びＷｅｂデータ加工部３２ｄは、図形コード生成機能、Ｗｅｂデータ加工機能を提供するためのソフトウェアで構成され、記憶部３３に格納されており、実行時に主制御部３２により読み出されて実行される。このように、Ｗｅｂサイトの検索サービスを提供するＷｅｂサーバ装置３０から、端末側の表示装置１０に検索結果を提供する際に、Ｗｅｂサーバ装置３０側で図形コードを生成／付与する処理を行い、表示装置１０の画面上に図形コードを表示するようにしてもよい。
【００８３】
また、表示装置１０側で検索結果に応じた図形コードを生成して画面上に表示する処理を行ってもよい。前述の図３において、通信部１１からＷｅｂサーバ装置３０にアクセスして検索要求を送信したときに、図形コード生成部１２ｃは、Ｗｅｂサーバ装置３０により検索されたＷｅｂデータのＵＲＬを図形コード化し、ブラウザ部１２ａは、Ｗｅｂサーバ装置３０により検索されたＷｅｂデータのタイトルを一覧表示するときに、図形コード生成部１２ｃにより生成された図形コードを検索結果一覧のＷｅｂデータのタイトルに併記あるいは代替して表示してもよい。
【００８４】
図１４は、本発明が適用される図形コード表示方法の一例を説明するためのフロー図である。本例ではＷｅｂデータの読み込み開始時／完了時に図形コードを表示する例について説明する。まず、表示装置１０は、Ｗｅｂサイトに接続し（ステップＳ２１）、接続したＷｅｂサイトのＵＲＬとタイトルから図形コードを生成し（ステップＳ２２）、生成した図形コードを画面上に表示する（ステップＳ２３）。このときの図形コードの表示方法は、例えば、（１）ＵＲＬの代替で表示、（２）ＵＲＬと併記して表示、（３）タブに表示、のいずれの方法を用いてもよい。
【００８５】
次に、表示装置１０は、Ｗｅｂデータの読み込みを開始し（ステップＳ２４）、「読み込み中インジケータ」のアニメーション動作を開始し（ステップＳ２５）、読み込み完了したかどうかを判断し（ステップＳ２６）、読み込み完了した場合（ＹＥＳの場合）、「読み込み中インジケータ」のアニメーション動作を停止し（ステップＳ２７）、Ｗｅｂデータと図形コードを画面上に表示する（ステップＳ２８）。また、上記ステップＳ２６において、読み込み完了していない場合（ＮＯの場合）、ステップＳ２６の処理を行う。
【００８６】
上記ステップＳ２８において、図形コードの表示方法は、例えば、（４）読み込み中インジケータの代替で表示、（５）表示するＷｅｂデータ内にＵＲＬの代替で埋込表示、（６）表示するＷｅｂデータ内にＵＲＬと併記して埋込表示、のいずれの方法を用いてもよい。
【００８７】
図１５は、本発明が適用される図形コード表示方法の他の例を説明するためのフロー図である。本例ではＷｅｂデータの読み込み完了時に図形コードを表示する例について説明する。まず、表示装置１０は、Ｗｅｂサイトに接続し（ステップＳ３１）、接続したＷｅｂサイトのＷｅｂデータの読み込みを開始し（ステップＳ３２）、「読み込み中インジケータ」のアニメーション動作を開始し（ステップＳ３３）、読み込み完了したかどうかを判断し（ステップＳ３４）、読み込み完了した場合（ＹＥＳの場合）、「読み込み中インジケータ」のアニメーション動作を停止し（ステップＳ３５）、ＵＲＬとタイトルから図形コードを生成し（ステップＳ３６）、Ｗｅｂデータと図形コードを画面上に表示する（ステップＳ３７）。また、上記ステップＳ３４において、読み込み完了していない場合（ＮＯの場合）、ステップＳ３４の処理を行う。
【００８８】
上記ステップＳ３７において、図形コードの表示方法は、例えば、（１）ＵＲＬの代替で表示、（２）ＵＲＬと併記して表示、（３）タブに表示、（４）読み込み中インジケータの代替で表示、（５）表示するＷｅｂデータ内にＵＲＬの代替で埋込表示、（６）表示するＷｅｂデータ内にＵＲＬと併記して埋込表示、のいずれの方法を用いてもよい。
【００８９】
以上説明したように、本発明は、図形コード生成／表示機能を有するブラウザソフトや、ＨＴＭＬなどのハイパーリンクに対応した電子メールソフトに適用することができる。電子メールソフトに適用する場合、ＰＣや、テレビジョン装置、携帯電話機などの表示装置は、ハイパーリンク等を含む電子メールの本文を表示する電子メール部と、電子メールの本文においてハイパーリンクのＵＲＬを図形コード化する図形コード生成部とを備える。上記電子メール部は、ハイパーリンクに対する所定の操作（例えば、カーソルを置いたり、右クリックするなど）に従って、図形コード生成部により生成された図形コードを画面上に表示するようにしてもよい。このように、電子メールソフトでハイパーリンクを含む電子メールを表示する場合、ハイパーリンクのリンク先のＵＲＬから図形コードを自動的に生成して画面上に表示することができる。
【００９０】
以上、本発明の表示装置における各機能を中心に各実施形態を説明してきたが、本発明は、表示装置における各ステップを実行する方法としても説明したように、図形コードの生成／表示方法としての形態もとることができる。また、この各機能を有する表示装置と同様に、コンピュータに表示装置として機能させるためのプログラムとしての形態も、また、そのプログラムを記録した記録媒体としての形態も可能である。
【００９１】
本発明による図形コード生成／表示の機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ）、ＦＤ、ＨＤ、フラッシュメモリ、メモリカードや、メモリスティック及びその他各種ＲＯＭやＲＡＭ等が想定でき、これら記録媒体に上述した本発明の各実施形態の表示装置としての機能をコンピュータに実行させ、図形コード生成／表示の機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わる図形コード生成／表示の機能を実行することができる。
【図面の簡単な説明】
【００９２】
【図１】本発明の一実施形態に係る図形コード表示システムの構成例を示す図である。
【図２】本発明の他の実施形態に係る図形コード表示システムの構成例を示す図である。
【図３】本発明の表示装置の構成例を示すブロック図である。
【図４】表示装置により生成される図形コードの画面表示例を示す図である。
【図５】タブ表示対応のブラウザ部で図形コードをページ毎に表示させたときの画面例を示す図である。
【図６】ブラウザ部により表示される読み込みインジケータを有する画面表示例を示す図である。
【図７】Ｗｅｂサーバ装置から提供される検索結果の一覧を表示装置の画面上に表示したときの画面例を示す図である。
【図８】本発明の表示装置が備える電子メール部による画面表示例を示す図である。
【図９】ブラウザ部によりお気に入りリストあるいはアクセス履歴リストを表示したときの画面例を示す図である。
【図１０】Ｗｅｂデータ内のハイパーリンクにフォーカスを当てたときの画面例を示す図である。
【図１１】Ｗｅｂデータ内のハイパーリンクにフォーカスを当てたときの他の画面例を示す図である。
【図１２】本発明の携帯電話機の構成例を示すブロック図である。
【図１３】本発明のＷｅｂサーバ装置の構成例を示すブロック図である。
【図１４】本発明が適用される図形コード表示方法の一例を説明するためのフロー図である。
【図１５】本発明が適用される図形コード表示方法の他の例を説明するためのフロー図である。
【符号の説明】
【００９３】
１…通信ネットワーク、２…Ｗｅｂサイト、３…検索Ｗｅｂサイト、１０…表示装置、１１，２１，３１…通信部、１２，２２，３２…主制御部、１２ａ，２２ｃ…ブラウザ部、１２ｂ，２２ｂ，３２ｂ…ＵＲＬ取得部、１２ｃ，３２ｃ…図形コード生成部、１３，２３，３３…記憶部、１４，２４，３４…表示ドライバ、１５，２５，３５…表示部、１６，２６，３６…操作部、１７，２７，３７…電源部、２０…携帯電話機、２２ａ…図形コード解析部、２８…カメラ部、３０…Ｗｅｂサーバ装置、３２ａ…Ｗｅｂサイト検索部、３２ｄ…Ｗｅｂデータ加工部。
【図１】
2007025943.tif 000003
【図２】
2007025943.tif 000004
【図３】
2007025943.tif 000005
【図４】
2007025943.tif 000006
【図５】
2007025943.tif 000007
【図６】
2007025943.tif 000008
【図７】
2007025943.tif 000009
【図８】
2007025943.tif 000010
【図９】
2007025943.tif 000011
【図１０】
2007025943.tif 000012
【図１１】
2007025943.tif 000013
【図１２】
2007025943.tif 000014
【図１３】
2007025943.tif 000015
【図１４】
2007025943.tif 000016
【図１５】
2007025943.tif 000017